(57)【特許請求の範囲】
【請求項１】
透光性を有する原稿載置台と、前記原稿載置台に載置された原稿を上方から押圧する原稿押圧部材と、前記原稿を照明するための光源を有し光学的に走査する走査体と、前記原稿押圧部材の開閉状態を検知する開閉検知部材と、前記開閉検知部材により前記原稿押圧部材の閉鎖状態が検知された場合、もしくは読取開始信号が検知された場合に、前記走査体を原稿に対して平行に走査させることによって原稿サイズ検知動作を行う制御部を備えた画像読取装置において、
前記原稿押圧部材を基準となる通常の速さよりも速く閉める場合には、原稿サイズ検知を行う有効検知時間が、原稿押圧部材を基準となる通常の速さで閉める場合よりも短く設定され、原稿押圧部材を基準となる通常の速さよりも遅く閉める場合には、原稿サイズ検知を行う有効検知時間が、原稿押圧部材を基準となる通常の速さで閉める場合よりも長く設定されるように、原稿サイズ検知を行う有効検知時間が変更され、かつ該原稿サイズ検知を行う有効検知時間に連動して前記光源がオン／オフ制御されると共に、原稿サイズ検知動作を行うための処理時間を一定時間とし、前記一定時間内で原稿サイズ検知を行う有効検知時間が前記原稿押圧部材の閉じ速さに応じ変更されることを特徴とする画像読取装置。
【請求項２】
前記原稿押圧部材の閉鎖状態が検知されてから前記光源を点灯させるまでに一定時間間隔を設けることを特徴とする請求項１記載の画像読取装置。
【請求項３】
前記原稿押圧部材の種類に応じて、原稿サイズ検知動作を行うための処理時間もしくは有効検知時間を変更可能としたことを特徴とする請求項１または２記載の画像読取装置。
【請求項４】
前記原稿押圧部材の種類を制御部が自動認識し、前記認識結果に応じて、原稿サイズ検知動作を行うための処理時間もしくは有効検知時間を変更可能としたことを特徴とする請求項３記載の画像読取装置。
【請求項５】
前記原稿押圧部材の閉鎖状態を開閉検知部材により検知した場合と、前記原稿押圧部材が開放状態で読取開始信号を検知した場合に、原稿サイズ検知動作を行うための処理時間もしくは有効検知時間を変更可能としたことを特徴とする請求項１〜４のいずれか１項に記載の画像読取装置。
【請求項６】
請求項１〜５のいずれか１項に記載の画像読取装置を備えたことを特徴とする画像形成装置。
【発明の詳細な説明】
【技術分野】
【０００１】
本発明は、原稿の画像を光学的に読み取る画像読取装置及びこれを備えた画像形成装置に係り、特に、光電変換素子に原稿サイズ検知機能を有する画像読取装置及び画像形成装置に関するものである。
【背景技術】
【０００２】
画像読取装置において、原稿載置台であるコンタクトガラス上に載置した原稿を照明し、原稿の反射光をＣＣＤイメージセンサによって読み取る光学的読取構造のものが一般的である。
【０００３】
通常、原稿の大きさと変倍率、さらに読取密度を設定し、その設定にしたがって読み取り線速，読み取り距離などの読み取り条件を決定するが、それらの設定をユーザ自身が行うより、装置自体の判断により自動設定を行う方がユーザによって操作性がよく、設定ミスも防止することが可能になる。
【０００４】
このため、例えば特許文献１などに開示される自動原稿サイズ検知方法の発明が提案されている。この発明によると、原稿の主走査方向のサイズ判定にはＣＣＤイメージセンサにて読み取った画像データを用い、副走査方向のサイズ判定には原稿有無検知センサの出力を用いて原稿サイズの検知を行っている。
【０００５】
また、特許文献２には、原稿押圧部材の開閉を検知し、その結果に応じて原稿サイズ検知の走査体動作を行わせ、ユーザの操作状況に合わせたタイミングで原稿サイズ検知を行っている。
【特許文献１】特許第３１６８６６６号公報
【特許文献２】特開２００６−２５４１８２号公報
【発明の開示】
【発明が解決しようとする課題】
【０００６】
しかしながら、前述した従来の方法では、原稿押圧部材の閉時間によっては原稿サイズ検知動作が終了せず、原稿押圧部材の裏面を読み取ってしまい、原稿がない場合でも「原稿あり」と検知してしまう場合がある。また、このことを回避するためには、原稿押圧部材の開閉状態を検知する開閉検知部材の他に、原稿がない場合に原稿押圧部材を原稿と誤検知しない原稿検知限界の位置に原稿押圧部材が達したことを検知する部材が必要となり、コストアップとなってしまうといった問題があった。
【０００７】
本発明は、前記従来技術の問題を解決することに指向するものであり、コストアップすることなく、制御によって誤検知しにくい構成の原稿サイズ検知機能を有する画像読取装置及び画像形成装置を提供することを目的とする。
【課題を解決するための手段】
【０００８】
前記の目的を達成するために、本発明に係る請求項１に記載した画像読取装置は、透光性を有する原稿載置台と、原稿載置台に載置された原稿を上方から押圧する原稿押圧部材と、原稿を照明するための光源を有し光学的に走査する走査体と、原稿押圧部材の開閉状態を検知する開閉検知部材と、開閉検知部材により原稿押圧部材の閉鎖状態が検知された場合、もしくは読取開始信号が検知された場合に、走査体を原稿に対して平行に走査させることによって原稿サイズ検知動作を行う制御部を備えた画像読取装置において、原稿押圧部材を基準となる通常の速さよりも速く閉める場合には、原稿サイズ検知を行う有効検知時間が、原稿押圧部材を基準となる通常の速さで閉める場合よりも短く設定され、原稿押圧部材を基準となる通常の速さよりも遅く閉める場合には、原稿サイズ検知を行う有効検知時間が、原稿押圧部材を基準となる通常の速さで閉める場合よりも長く設定されるように、原稿サイズ検知を行う有効検知時間が変更され、かつ該原稿サイズ検知を行う有効検知時間に連動して光源がオン／オフ制御されると共に、原稿サイズ検知動作を行うための処理時間を一定時間とし、前記一定時間内で原稿サイズ検知を行う有効検知時間が前記原稿押圧部材の閉じ速さに応じ変更されることを特徴とする。
【０００９】
この構成によって、原稿サイズ検知を行う有効検知時間が原稿押圧部材の状態検知に応じを変更されることから、原稿押圧部材を早く閉めたり、ゆっくり閉めたりするユーザの操作傾向に対応して、原稿サイズの誤検知を減らすこと、また検知精度を向上させることができ、さらに、原稿押圧部材の状態検知の機構的なバラツキにも対応でき、原稿サイズ検知を行う有効検知時間に連動して光源がオン／オフされるので、節電効果も得られる。
【００１１】
さらに、請求項１に記載の構成によると、原稿サイズ検知動作を行うための処理時間を一定時間とし、一定時間内で原稿サイズ検知を行う有効検知時間が原稿押圧部材の閉じ速さに応じ変更されるので、装置に有する光源オン時間等の設定を変更することなく、原稿サイズ検知処理の検知制御における有効検知時間のみを変更して、ユーザによる原稿押圧部材の使用形態により原稿サイズを誤検知する確率を減らすことができる。
【００１２】
また、請求項２に記載した画像読取装置は、請求項１の画像読取装置において、原稿押圧部材の閉鎖状態が検知されてから光源を点灯させるまでに一定時間間隔を設けることを特徴とする。
【００１３】
この構成によって、開閉検知部材に用いられる原稿サイズ検知センサに固有の検知タイミングに対応でき、ユーザの使い勝手を向上することができる。
【００１４】
また、請求項３に記載した画像読取装置は、請求項１または２の画像読取装置において、原稿押圧部材の種類に応じて、原稿サイズ検知動作を行うための処理時間もしくは有効検知時間を変更可能としたことを特徴とする。
【００１５】
この構成によって、原稿押圧部材の種類に応じた原稿サイズ検知時間もしくは有効検知時間が設定できるので、使用する原稿押圧部材に適した検知時間となって、誤検知する確率を低くでき、また、原稿押圧部材のフィラー形状や取付位置が相違しても適した検知時間で検知することができる。
【００１６】
また、請求項４に記載した画像読取装置は、請求項３の画像読取装置において、原稿押圧部材の種類を制御部が自動認識し、認識結果に応じて、原稿サイズ検知動作を行うための処理時間もしくは有効検知時間を変更可能としたことを特徴とする。
【００１７】
この構成によって、原稿押圧部材の種類に応じて設定を行うことなく、自動で最適な原稿押圧部材の検知時間となり、誤検知する確率が低く、また、原稿押圧部材のフィラー形状や取付位置の相違にも対応した検知時間により検知することができる。
【００１８】
また、請求項５に記載した画像読取装置は、請求項１〜４の画像読取装置において、原稿押圧部材の閉鎖状態を開閉検知部材により検知した場合と、原稿押圧部材が開放状態で読取開始信号を検知した場合に、原稿サイズ検知動作を行うための処理時間もしくは有効検知時間を変更可能としたことを特徴とする。
【００１９】
この構成によって、原稿押圧部材が開放状態の場合に、原稿押圧部材の種類や検知時間等の設定によらず、最も検知精度の高い原稿サイズ検知を実施できる。
【００２０】
また、請求項６に記載した画像形成装置は、請求項１〜５のいずれか１項に記載の画像読取装置を備えたことを特徴とする。
【００２１】
この構成によって、請求項１〜５に記載の最適な原稿サイズ検知を実施する画像読取装置を用いて、原稿サイズ検知を確実に実施する画像形成装置を提供できる。
【発明の効果】
【００２２】
本発明によれば、原稿押圧部材に対するユーザの操作傾向に応じて、原稿サイズの誤検知を減らすこと、また検知精度を向上させることができ、さらに、原稿押圧部材の状態検知の機構的なバラツキにも対応するとともに、原稿サイズ検知の処理時間に連動し光源をオン／オフして節電効果も得ることができるという効果を奏する。
【発明を実施するための最良の形態】
【００２３】
以下、図面を参照して本発明における実施形態を詳細に説明する。
【００２４】
図１は本発明の実施形態である画像読取装置の概略構成を示す断面図である。図１において、原稿載置台であるコンタクトガラス１上に載置された原稿Ｄに対して、光源であるランプ２により光を照射し、第１ミラー３，第２ミラー４，第３ミラー５によって反射させた光をレンズ８によって集光し、ＣＣＤ９に結像する。
【００２５】
そして、ランプ２及び第１ミラー３が距離Ｌだけ進む間に第２ミラー４及び第３ミラー５は距離Ｌ／２だけ進む。このことにより、光学系の光路長を一定に保ち、原稿全体が走査される。
【００２６】
図２は図１に示す画像読取装置における機械系の構成を示す斜視図である。図２において、ランプ２と第１ミラー３を備えた第１キャリッジ６は、駆動ワイヤ１１に取り付けられ、また前記第２ミラー４と第３ミラー５とを備えた第２キャリッジ７は、プーリ１２に駆動ワイヤ１１が巻回されている。さらに、駆動ワイヤ１１は、駆動軸１４に繋がれたワイヤプーリ１５に巻回され、タイミングプーリ１６とタイミングベルト１７とを介して、駆動モータ１８の回転駆動力が伝達される。
【００２７】
前記第１キャリッジ６の一端がホームポジションセンサ１３を横切ってから、ある一定距離をリターンさせた位置をホームポジションとしている。第１キャリッジ６と第２キャリッジ７とが、原稿情報と原稿サイズを検知するための走査体として機能する。
【００２８】
図３は本実施形態の要部を説明するための画像読取装置の平面図、図４は図３に示す画像読取装置の側面図である。図３，図４において、２０は原稿Ｄをコンタクトガラス１上に押下する原稿押圧部材、２１は原稿押圧部材２０と連動して動くフィラー、２２はフィラー２１を検知するフォトインタラプタセンサであって、フィラー２１とフォトインタラプタセンサ２２とにより原稿押圧部材２０の開閉検知部材を構成し、原稿押圧部材２０の開閉を検知する。  
【００２９】
本実施形態は、フォトインタラプタセンサ２２の中にフィラー２１がない状態からある状態になったときに、光を透過しない部材からなる原稿押圧部材２０がコンタクトガラス１を覆い、上面を閉鎖している状態であると判断する。
【００３０】
また、図３，図４において、２３，２４は原稿の規定サイズが表示されている原稿サイズスケール、２５は原稿の副走査のサイズを検知する原稿サイズ検知センサであり、２６は原稿サイズ検知センサ２５の設置範囲（原稿押圧部材２０がセンサ鉛直方向にある範囲）、２７は原稿サイズ検知センサ２５の原稿検知範囲（センサ検知範囲に原稿押圧部材２０が移動しない範囲）、２８は第１キャリッジ６の原稿サイズ読取位置、２９は第１キャリッジ６の原稿読取待機位置（ホームポジション）である。
【００３１】
本実施形態における原稿サイズ検知の基本動作について図５のフローチャートを参照して説明する。なお、以下の制御は装置に搭載された図示しない制御部であるＣＰＵ（中央演算処理装置）により行われる。
【００３２】
第１キャリッジ６が原稿サイズ読取位置２８にある状態において（Ｓ１）、原稿押圧部材２０が閉鎖状態であることがフィラー２１とフォトインタラプタセンサ２２にて検知されると（Ｓ２）、第１キャリッジ６のランプ２を点灯させ、第１キャリッジ６を原稿サイズ読取位置２８から、ホームポジション、つまり原稿読取待機位置２９まで移動させ（Ｓ３）、第２キャリッジ７との協働にて主走査方向の原稿データ（サイズデータ）を副走査方向に複数回読み取り（Ｓ４）、第１，第２キャリッジ６，７の移動を終了する（Ｓ５）。
【００３３】
このときのデータの読み取りは、連続的でもよいし、ある範囲のデータの集合であってもよい。複数回読み取ることによって検知精度が向上する。このデータによって、閾値よりも明るいデータがあった部分は原稿が存在すると判断する。
【００３４】
また、同じく原稿押圧部材２０が閉じている状態であると判断された時点で、副走査方向の原稿サイズを読み取って確定し、主走査方向のサイズデータと副走査方向のサイズデータを基にして、原稿サイズを決定する。
【００３５】
副走査方向のサイズ検知のために、本実施形態のように原稿サイズ検知センサ２５を搭載している場合、原稿サイズ検知センサ２５の上方に蛍光灯などの外乱光が存在すると、外乱光の影響によって原稿サイズ検知センサ２５が誤検知してしまうおそれがあるため、原稿押圧部材２０が原稿サイズ検知センサ２５の上方の外乱光を遮ることができる角度になってから、フィラー２１がフォトインタラプタセンサ２２に入るように、フィラー２１とフォトインタラプタセンサ２２を設置する。
【００３６】
また、副走査方向の原稿サイズを検知するための原稿サイズ検知センサ２５は、通常、コンタクトガラス１上の原稿の有無を判定するものであるが、原稿押圧部材２０がコンタクトガラス１に必要以上に近づき過ぎる角度で原稿押圧部材２０が閉じられて、原稿サイズ検知センサ２５の検知範囲に原稿押圧部材２０が入っていると、実際には原稿がないときでも原稿押圧部材２０を原稿と誤検知してしまうことがあるため、原稿サイズ検知センサ２５の原稿検知範囲外の時点でフィラー２１がフォトインタラプタセンサ２２に入るように、フィラー２１とフォトインタラプタセンサ２２を設置する。
【００３７】
また、原稿サイズを検知するため走査体を介したＣＣＤで検知する場合も、同様に原稿押圧部材２０がコンタクトガラス１に必要以上に近づき過ぎる角度で原稿押圧部材２０が閉じられると、原稿がないときでも「原稿あり」と誤検知してしまうことがある。
【００３８】
ここで、本実施形態の実施例１について図６，図７，図８を参照しながら説明する。図６は原稿サイズ検知の動作タイミングを示すタイミングチャートである。このタイミングチャートは、原稿押圧部材が閉じられた状態から開けられて、ユーザが原稿をセットし、原稿押圧部材が再び閉じられるまでの動作に関するものである。原稿サイズ検知動作を行う処理が可能な期間（原稿サイズ検知時間）は、光源の点灯開始から原稿押圧部材がＣＣＤによる検知限界（前述したフィラーとフォトインタラプタセンサにより検知される位置）に達するまでの期間である。
【００３９】
また、図７は、原稿押圧部材を早く閉めたとき（実線）と、通常の速さで閉めたとき（破線）とのＣＣＤによる検知（原稿サイズ検知時間）の例をそれぞれ示したタイミングチャートである。図７では、原稿押圧部材を閉める速さのそれぞれに対応するＣＣＤによる検知のタイミングが一部重なるため、分かり易いようにそれぞれを分けて示している（以下の各図においても同様とする）。図７の原稿押圧部材の角度（実線）に示すように原稿押圧部材が早く閉められた場合、原稿サイズ検知の時間が一定時間（ＣＣＤによる検知（破線））であると、検知限界に達するまでに原稿サイズ検知が終了しないため、ＣＣＤは原稿押圧部材の裏面を読み込んでしまい、その読み取り情報から原稿がないのに「原稿あり」と検知してしまうことになる。そこで、実線で示したように原稿押圧部材を早く閉める傾向のあるユーザに対しては原稿サイズ検知時間のサンプリング時間を短く設定しておくことによって誤検知の確率を減らすことができる。
【００４０】
一方、図８は、原稿押圧部材を遅く閉めたとき（実線）と、通常の速さで閉めたとき（破線）とのＣＣＤによる検知（原稿サイズ検知時間）の例をそれぞれ示したタイミングチャートである。図８に示す例では、図７とは逆に原稿押圧部材をゆっくり閉めるユーザに対しては検知時間を長く設定しておくようにする。この場合は原稿を読み取るサイズ検知時間のサンプリング時間がより長くなるので精度向上となる。
【００４１】
なお、使用形態に応じた原稿押圧部材が検知限界となる状態を検知し、原稿サイズの検知を行うサンプリング時間の異なる原稿サイズ検知時間の変更設定方法として、操作部上でのサービスマンのみが設定するモードのＳＰ（サービスマンプログラム）モードによる変更等があげられる。
【００４２】
図７及び図８では、原稿サイズ検知時間終了後も光源信号がオンの状態であるものを示したが、この形態に限定されることはない。例えば、図９に示す原稿サイズ検知の動作タイミングのタイミングチャートのように、原稿サイズ検知時間の終了タイミングで光源をオフ（消灯）させるようにしてもよい。なお、原稿サイズ検知時間を変更した場合には、それに連動して光源オフタイミングも変更する。
【００４３】
これにより、原稿サイズ検知時間を変更して、ユーザによる原稿押圧部材を早く閉める、またはゆっくり遅く閉めるといった使用形態により原稿サイズを誤検知する確率を減らすことが可能となり、また、装置の機構的なバラツキ（フィラーやフォトインタラプタセンサの取付位置等）に対しても対応でき、さらに、原稿サイズ検知時間に連動して光源がオン／オフされるので節電効果を得られるとともに、光源からの光がユーザの目に入る時間も最小限にできる。
以上のように、原稿押圧部材を基準となる通常の速さよりも速く閉める場合には、原稿サイズ検知を行う有効検知時間が、原稿押圧部材を基準となる通常の速さで閉める場合よりも短く設定され、原稿押圧部材を基準となる通常の速さよりも遅く閉める場合には、原稿サイズ検知を行う有効検知時間が、原稿押圧部材を基準となる通常の速さで閉める場合よりも長く設定されるように、原稿サイズ検知を行う有効検知時間が変更され、かつ該原稿サイズ検知を行う有効検知時間に連動して前記光源がオン／オフ制御されるのである。
【００４４】
次に、本実施形態の実施例２について図１０を参照しながら説明する。図１０は原稿サイズ検知の動作タイミングを示すタイミングチャートである。本実施例２では、図１０に示すように原稿サイズ検知時間及び光源点灯時間を一定とし、原稿サイズ検知時間内にサイズ検知情報を取得する時間の有効検知時間を設けたものである。そして、実際に原稿サイズ検知に使用する情報取得は有効検知時間のみとしたものである。また、原稿押圧部材を閉じる時間（検知限界）にあわせて有効検知時間を変更設定する。変更設定は、実施例１と同様の方法とする。
【００４５】
これにより、装置における光源オン時間等の設定を変更することなく、原稿サイズ検知処理の検知制御する有効検知時間のみを変更して、ユーザによる原稿押圧部材の使用形態によって、原稿サイズを誤検知する確率を減らすことができる。
【００４６】
次に、本実施形態の実施例３について説明する。副走査方向の原稿サイズを検知するために原稿サイズ検知センサ２５を使用する場合、前述の通り、誤検知しない角度で原稿サイズ検知センサ２５の判定を実施しなければならない。この判定タイミングを「開閉検知部材の検知タイミング」とした場合、原稿押圧部材２０の角度が大きい状態でランプ２が点灯してしまう。すると、ユーザの目にランプ２の光が入射してしまうおそれがあり、光のまぶしさによって不快感を与えてしまう。
【００４７】
そこで、図１１のように光源点灯遅延時間ｔを設け、その時間経過後にランプ２を点灯させる。これにより、開閉検知部材の検知タイミングが高角度にて判定する必要がある原稿サイズ検知センサ２５を使用した場合でも、ランプ２が点灯開始するときの原稿押圧部材２０の角度を低くできるので、まぶしさを低減することが可能となる。
【００４８】
さらに、この実施例３の場合にも図１１のように原稿サイズ検知時間を変更可能としたり、図１２のように有効検知時間を変更可能としたりすることも可能である。
【００４９】
次に、本実施形態の実施例４について説明する。原稿読取装置に取り付けられる原稿押圧部材には複数の種類があり、例としてはＡＤＦ（自動原稿送り装置）、ＡＲＤＦ（自動両面反転原稿送り装置）、圧板などがあげられる。これらは原稿押圧部材それぞれで重さ（重い、標準、軽い）、大きさが異なるため、同じユーザが閉じたとしても検知される閉時間に違いが生じ、さらに、操作するユーザ（健常者、車椅子使用者やその他の使用者等）によっても検知時間に違いが生じる可能性がある。また、それぞれのフィラー取付位置や形状が異なっていた場合にも閉時間が異なることになる。
【００５０】
そこで、本実施例４では、前述の原稿押圧部材の種類、また操作するユーザによって原稿サイズ検知時間もしくは有効検知時間を変更するものである。この変更方法としては、前述した原稿押圧部材の種類を装置の操作部上で、ＳＰモードにより選択できるようにする等の方法があげられるが、選択する場合においても固定値とするのではなく、それぞれで検知時間も変更設定できるようにすることが望ましい。
【００５１】
これにより、原稿押圧部材の種類や操作するユーザによって原稿サイズ検知時間もしくは有効検知時間が設定できるので、使用する原稿押圧部材に適した検知時間となり、誤検知する確率が低くなり、また、原稿押圧部材のフィラー形状や取付位置が相違しても適した検知時間で検知することが可能となる。
【００５２】
なお、使用するユーザにおいて、車椅子使用者やその他の使用者は、原稿読取装置に設けたセンサ等によって、所定位置からの操作であることやユーザの背丈の違いによることを検出するようにしてもよく、また、この検出結果から例えば原稿サイズ検知時間もしくは有効検知時間の変更設定を複数登録したテーブルから選択することにより行う。
【００５３】
次に、本実施形態の実施例５について説明する。前記した実施例４においては、選択した原稿押圧部材の種類によって原稿サイズ検知時間もしくは有効検知時間を変更したが、原稿押圧部材のコネクタ差込による通信などによって、その種類を制御部で自動認識して、新たに設定選択することなく接続された原稿押圧部材に適した検知時間を反映させるようにする。ただし、この場合も固定値とするのではなく、それぞれで検知時間も変更できるようにすることが望ましい。
【００５４】
これにより、原稿押圧部材の種類に応じて設定を行うことなく、自動で最適な原稿押圧部材の検知時間となり、誤検知する確率が低く、また、原稿押圧部材のフィラー形状や取付位置の相違にも対応した検知時間により検知することが可能となる。
【００５５】
次に、本実施形態の実施例６について説明する。前記の実施例１から５においては、開閉検知部材により原稿押圧部材が閉鎖されたことをトリガとして原稿サイズ検知動作を実行する場合について説明したが、原稿押圧部材が開放状態でコピー等が実行される場合もある。この場合は原稿押圧部材の裏面を読み取って誤検知することがないので、原稿サイズ検知時間は長くする方が望ましい。したがって、前記実施例１〜５で設定した原稿サイズ検知時間もしくは有効検知時間によらず、原稿押圧部材が開放状態においてコピースタートボタンが押され、読取開始信号を検知した場合は最大の検知時間を適用させる。
【００５６】
ただし、必ずしも最大の検知時間にする必要はないため、開放状態で独立に検知時間の変更設定が可能であることが望ましい。なお、最大検知時間は走査体の原稿読み取り領域外に達するまでの時間とすることが望ましい。
【００５７】
これにより、原稿押圧部材が開放状態の場合に、原稿押圧部材の種類や検知時間等の設定によらず、最も検知精度の高い原稿サイズ検知を実施することができる。
【００５８】
次に、本実施形態の実施例７について説明する。本実施例７の画像形成装置は、前述した実施例１〜６に記載したいずれかの原稿サイズ検知の動作を行う画像読取装置を備えた画像形成装置である。実施例１〜６に記載した検知精度の高い原稿サイズ検知を実施する画像読取装置を用いて構成したため、前述したそれぞれの作用効果を有する画像形成装置を提供できる。
【００５９】
図１３は本実施例７の画像読取装置を用いた画像形成装置を示す概略図である。図１３に示すように、画像形成装置３０には、前述した原稿読取装置として、コンタクトガラス１と、光源のランプ２及び第１ミラー３を備えた第１キャリッジ６と、第２ミラー４及び第３ミラー５を備えた第２キャリッジ７と、レンズ８と、ＣＣＤ９と、第１キャリッジ６と第２キャリッジ７とを駆動し、その出力軸の角速度を計測するエンコーダ（図示せず）を有する駆動モータ１８とにより、露光走査を行う光学系が設けられている。
【００６０】
また、画像形成する記録紙である用紙束を積載する給紙トレー３１と、給紙トレー３１内部に積載された用紙束を１枚ずつに分離して給送する用紙分離給送部３２を備えている。
【００６１】
さらに、給紙トレー３１から搬送された用紙を所定タイミングで送り出すレジストローラ３３を経て、用紙に画像を形成する画像形成部には、像担持体４１と、帯電手段４２と、潜像形成手段４３と、現像手段４４と、転写手段４５と、クリーニング手段４６と、定着手段４７、及び排紙ローラ４８を備えている。
【００６２】
本実施例７における画像形成装置３０は、制御回路（図示せず）によって、露光走査を行う光学系、第１，２キャリッジ６，７や用紙搬送する各ローラ等の駆動系、また画像読み取りや画像形成に係る処理系の制御が行われる。
【００６３】
前述した画像読取装置の原稿サイズ検知機能によって、精度よく原稿サイズが検知された後、コンタクトガラス１に載置された原稿Ｄに対して、ユーザの指示する読み取り命令により、制御回路は駆動制御部を介してモータドライバ等を制御し、駆動モータ１８を駆動する。駆動制御部は、駆動モータ１８の角速度を測定するエンコーダが測定した角速度と、所望の角速度との速度差を計算し、速度差に応じたフィードバックをモータドライバにかける。
【００６４】
同時にＣＣＤ９から出力された画像信号が画像処理部に入力され、例えば、画像信号に基づき潜像形成手段４３によって像担持体４１に潜像を形成し、この潜像を現像手段４４がトナー像として現像し、さらに転写手段４５が搬送される用紙に転写を行い、転写された用紙のトナー像を定着手段４７により定着する等の画像処理を実施して、記録画像の外部への出力を行う。このように、原稿押圧部材のユーザ操作傾向に応じて原稿サイズ誤検知を減らすとともに、原稿押圧部材の状態を検知する機構的なバラツキにも対応した、精度の高い原稿サイズ検知を実施する画像読取装置を提供することが可能となる。
【産業上の利用可能性】
【００６５】
本発明に係る原稿サイズ検知機能を有する画像読取装置及び画像形成装置は、原稿押圧部材に対するユーザの操作傾向に応じて、原稿サイズの誤検知を減らすこと、また検知精度を向上させることができ、さらに、原稿押圧部材の状態検知の機構的なバラツキにも対応するとともに、原稿サイズ検知の処理時間に連動し光源をオン／オフして節電効果も得ることができ、光電変換素子に原稿サイズ検知機能を有する装置として有用である。
【図面の簡単な説明】
【００６６】
【図１】本発明の実施形態である画像読取装置の概略構成を示す断面図
【図２】図１に示す画像読取装置における機械系の構成を示す斜視図
【図３】本実施形態の要部を説明するための画像読取装置の平面図
【図４】図３に示す画像読取装置の側面図
【図５】本実施形態における原稿サイズ検知の基本動作のフローチャート
【図６】本実施形態の実施例１における原稿サイズ検知を説明するタイミングチャート
【図７】本実施例１における原稿サイズ検知の早く閉めたときを説明するタイミングチャート
【図８】本実施例１における原稿サイズ検知の遅く閉めたときを説明するタイミングチャート
【図９】本実施例１における原稿サイズ検知の光源信号のタイミングチャート
【図１０】本実施形態の実施例２における原稿サイズ検知のタイミングチャート
【図１１】本実施形態の実施例３における原稿サイズの検知時間可変のタイミングチャート
【図１２】本実施形態の実施例３における原稿サイズの有効検知時間可変のタイミングチャート
【図１３】本実施形態の実施例８における画像形成装置を示す概略図
【符号の説明】
【００６７】
１  コンタクトガラス
２  ランプ
３，４，５  ミラー
６  第１キャリッジ
７  第２キャリッジ
９  ＣＣＤ
２０  原稿押圧部材
２１  フィラー
２２  フォトインタラプタセンサ
２５  原稿サイズ検知センサ
２８  原稿サイズ読取位置
２９  原稿読取待機位置（ホームポジション）
３０  画像形成装置
３１  給紙トレー
３２  用紙分離給送部
３３  レジストローラ
４１  像担持体
４２  帯電手段
４３  潜像形成手段
４４  現像手段
４５  転写手段
４６  クリーニング手段
４７  定着手段
４８  排紙ローラ
【図１】
0005228749.tif 000002
【図２】
0005228749.tif 000003
【図３】
0005228749.tif 000004
【図４】
0005228749.tif 000005
【図５】
0005228749.tif 000006
【図６】
0005228749.tif 000007
【図７】
0005228749.tif 000008
【図８】
0005228749.tif 000009
【図９】
0005228749.tif 000010
【図１０】
0005228749.tif 000011
【図１１】
0005228749.tif 000012
【図１２】
0005228749.tif 000013
【図１３】
0005228749.tif 000014